(57)【要約】【課題】基板の端部に取り付けられるアンテナが基板から容易に脱落しないようにする。【解決手段】アンテナ１１の上面には自動実装機で真空吸着可能な平坦部を備えている。アンテナ１１の下面には段差形状部を備えている。基板１２は、高周波回路等が構成され、アンテナ１１が実装される回路基板等の基板である。基板１２の一辺にはアンテナ１１の下面の段差形状部の凸部ＳＡが嵌まる切欠部ＣＡが形成されている。基板１２の当接部ＭＡにアンテナ１１の段差形状部の凹部ＤＡが当接する。この当接部ＭＡのうち、切欠部ＣＡの両端に隣接する部分が係合部ＥＡである。係合部ＥＡはアンテナ１１が実装される基板端部の辺を回転軸とするアンテナ１１の軸回りの回転を阻止する。【選択図】図２
2010245893.tif 000002
【特許請求の範囲】
【請求項１】
基体に放射電極が設けられたアンテナと、このアンテナが実装される基板とを備えた、アンテナの取り付け構造であって、
前記アンテナは、上面に真空吸着可能な平坦部、下面に段差形状部をそれぞれ備え、直方体の形状であり、前記段差形状部の凹部に接続用端子電極を備え、
前記基板は、一辺に前記アンテナの前記段差形状部の凸部が嵌る切欠部を備え、
前記基板は、前記切欠部に隣接して、前記アンテナの前記段差形状部の凹部に当接し、前記辺を回転軸とする前記アンテナの軸回りの回転を阻止する係合部を備えた、アンテナの取り付け構造。
【請求項２】
前記アンテナの前記段差形状部の凹部は前記アンテナの長手方向の両端に設けられた、請求項１に記載の、アンテナの取り付け構造。
【請求項３】
前記アンテナの前記段差形状部の凹部は前記アンテナの長手方向の中央に設けられた、請求項１または２に記載の、アンテナの取り付け構造。
【発明の詳細な説明】
【技術分野】
【０００１】
この発明は、基体に放射電極が設けられたアンテナとそのアンテナが実装される基板とを備えたアンテナの取り付け構造に関するものである。
【背景技術】
【０００２】
例えば携帯電話端末等の、筐体内にアンテナを備えた電子機器においては、例えば特許文献１に開示されているように、高周波回路等が形成された基板にアンテナが取り付けられた状態で筐体内に収められている。
【０００３】
図１は特許文献１のアンテナ構造を示す部分斜視図である。このアンテナ取り付け構造は、グランド部が形成された基板２と、この基板２の端部に配置される放射電極３と、その放射電極３と基板２のグランド部との間を接続する接地用延伸部４とを有している。基板２は、例えば携帯電話端末に内蔵される回路基板である。放射電極３は、主面部３Ａと、立ち上がり部３Ｂとを有していて、立ち上がり部３Ｂ側の端部Ｓが接地端であり、主面部３Ａ側の端部Ｋが開放端である。接地用延伸部４は、放射電極３の接地端側の両側の側縁部にそれぞれ接続されていて、放射電極３の接地端側から放射電極３の外側の位置を通って放射電極３の開放端側に向かう方向に延伸されている。
【先行技術文献】
【特許文献】
【０００４】
【特許文献１】国際公開第２００５／０２０３７１号パンフレット
【発明の概要】
【発明が解決しようとする課題】
【０００５】
ところが、特許文献１に示されているアンテナの取り付け構造では、放射電極３の重心が基板２の端部より外側に移動するほど、アンテナ３が基板２から転げ落ちる危険性が高まる。すなわち接地用延伸部４と基板２のグランド部との接合部に過度の応力が加わって外れやすくなる。
【０００６】
そこで、この発明の目的は、基板の端部に取り付けられるアンテナが基板から容易に脱落しないようにしたアンテナの取り付け構造を提供することにある。
【課題を解決するための手段】
【０００７】
前記課題を解決するために、この発明のアンテナの取り付け構造は、基体に放射電極が設けられたアンテナと、そのアンテナが実装される基板とを備え、
前記アンテナは、上面に真空吸着可能な平坦部、下面に段差形状部をそれぞれ備え、直方体の形状であり、前記段差形状部の凹部に接続用端子電極を備え、
前記基板は、一辺に前記アンテナの前記段差形状部の凸部が嵌る切欠部を備え、
前記基板は、前記切欠部に隣接して、前記アンテナの前記段差形状部の凹部に当接し、前記辺を回転軸とする前記アンテナの軸回りの回転を阻止する係合部を備えたものである。
【０００８】
前記アンテナの前記段差形状部の凹部は、例えば前記アンテナの長手方向の両端に設けられる。
また、前記アンテナの前記段差形状部の凹部は、例えば前記アンテナの長手方向の中央に設けられる。
【発明の効果】
【０００９】
この発明によれば、前記アンテナの下面に備えられている段差形状部の凸部が基板の切欠き部に嵌まった状態で、前記アンテナの前記段差形状部の凹部が基板の係合部と係合して、アンテナは基板の前記一辺を回転軸とする前記アンテナの軸回りの回転が阻止され、基板からのアンテナの脱落が防止される。
【図面の簡単な説明】
【００１０】
【図１】特許文献１のアンテナの取り付け構造を示す部分斜視図である。
【図２】第１の実施形態に係るアンテナの取り付け構造を示す図であり、図２（Ａ）はアンテナ取り付け前の状態での上面図、図２（Ｂ）はアンテナ取り付け前の状態での部分斜視図、図２（Ｃ）はアンテナを取り付けた状態での左側面図である。
【図３】第２の実施形態に係るアンテナの取り付け構造を示す図であり、図３（Ａ）はアンテナ取り付け前の状態での上面図、図３（Ｂ）はアンテナ取り付け前の状態での部分斜視図、図３（Ｃ）はアンテナを取り付けた状態での左側面図である。
【図４】第３の実施形態に係るアンテナの取り付け構造を示す図であり、図４（Ａ）はアンテナ取り付け前の状態での上面図、図４（Ｂ）はアンテナ取り付け前の状態での部分斜視図、図４（Ｃ）はアンテナを取り付けた状態での左側面図である。
【発明を実施するための形態】
【００１１】
《第１の実施形態》
図２は第１の実施形態に係るアンテナの取り付け構造を示す図であり、図２（Ａ）はアンテナ取り付け前の状態での上面図、図２（Ｂ）はアンテナ取り付け前の状態での部分斜視図、図２（Ｃ）はアンテナを取り付けた状態での左側面図である。
【００１２】
アンテナ１１は、誘電体材料（例えばプラスチック）からなる直方体形状の基体の外面または内部に放射電極が設けられたアンテナである。
アンテナ１１の基体に設ける放射電極は、給電放射電極と、その開放端付近に容量結合する無給電放射電極とを備えていてもよい。また、基体となる材料と金属板の成形体とを一体成形したものであってもよい。
アンテナ１１の上面には自動実装機で真空吸着可能な平坦部１１Ｔを備えている。またアンテナ１１の下面には段差形状部１１Ｂを備えている。
【００１３】
基板１２は、高周波回路等が構成され、アンテナ１１が実装される回路基板等の基板である。基板１２の一辺（図における左側の辺）にはアンテナ１１の下面の段差形状部の凸部ＳＡが嵌まる切欠部ＣＡが形成されている。
【００１４】
図２（Ａ）において破線で表す当接部ＭＡにアンテナ１１の段差形状部の凹部ＤＡが当接する。この当接部ＭＡのうち、切欠部ＣＡの両端に隣接する部分が係合部ＥＡである。この係合部ＥＡは基板１２の一辺（アンテナ１１が実装される端部の辺）を回転軸とするアンテナ１１の軸回りの回転を阻止する。
【００１５】
アンテナ１１の段差形状部の凹部ＤＡの所定の箇所には接続用端子電極が形成されている。これに対応して、基板１２の上面にはアンテナ１１の前記接続用端子電極が接合される基板側の端子電極（ランド）が形成されている。したがって、この基板側の端子電極は当接部ＭＡの領域内に形成される。
【００１６】
なお、基板１２の係合部ＥＡ部分にランドを形成し、それに対応するアンテナ１１の段差形状部の凹部ＤＡに接続用端子電極を形成すれば、アンテナ１１に前記回転軸回りにアンテナ１１が基板１２から浮き上がる方向のモーメントが加わった際の保持強度を高めることができる。
【００１７】
《第２の実施形態》
図３は第２の実施形態に係るアンテナの取り付け構造を示す図であり、図３（Ａ）はアンテナ取り付け前の状態での上面図、図３（Ｂ）はアンテナ取り付け前の状態での部分斜視図、図３（Ｃ）はアンテナを取り付けた状態での左側面図である。
【００１８】
アンテナ１１の上面には自動実装機で真空吸着可能な平坦部１１Ｔを備えている。アンテナ１１の下面には段差形状部１１Ｂを備えている。基板１２の一辺（図における左側の辺）にはアンテナ１１の下面の段差形状部の凸部ＳＡが嵌まる切欠部ＣＡが形成されている。
【００１９】
図３（Ａ）において破線で表す当接部ＭＡにアンテナ１１の段差形状部の凹部ＤＡが当接する。この当接部ＭＡのうち、切欠部ＣＡの中央に隣接する部分が係合部ＥＡである。この係合部ＥＡは基板１２の一辺（アンテナ１１が実装される端部の辺）を回転軸とするアンテナ１１の軸回りの回転を阻止する。
【００２０】
基板１２の係合部ＥＡ部分にランドを形成し、それに対応するアンテナ１１の段差形状部の凹部ＤＡに接続用端子電極を形成すれば、アンテナ１１に前記回転軸回りにアンテナ１１が基板１２から浮き上がる方向のモーメントが加わった際の保持強度を高めることができる。
【００２１】
その他の構成は第１の実施形態で図２に示したものと同様である。
このようにアンテナ１１の段差形状部の凹部をアンテナ１１の長手方向の中央に設けてもよい。
【００２２】
《第３の実施形態》
図４は第３の実施形態に係るアンテナの取り付け構造を示す図であり、図４（Ａ）はアンテナ取り付け前の状態での上面図、図４（Ｂ）はアンテナ取り付け前の状態での部分斜視図、図４（Ｃ）はアンテナを取り付けた状態での左側面図である。
【００２３】
アンテナ１１の上面には自動実装機で真空吸着可能な平坦部１１Ｔを備えている。アンテナ１１の下面には段差形状部１１Ｂを備えている。基板１２の一辺（図における左側の辺）にはアンテナ１１の下面の段差形状部の凸部ＳＡが嵌まる切欠部ＣＡが形成されている。
【００２４】
第１の実施形態で図２に示した例と異なり、アンテナ１１の基体は直方体（六面体）形状ではなく、側面がテーパ状（面取り形状）である。その他の構成は第１の実施形態で示したアンテナの取り付け構造と同様である。
【００２５】
このように、アンテナの基体は直方体（六面体）形状に限らず、上面が真空吸着可能な平坦部を備えていればよい。したがって、基体の側面は曲面であってもよい。
【００２６】
なお、図２に示した第１の実施形態に係るアンテナの取り付け構造と第２の実施形態で図３に示したアンテナの取り付け構造とを併用してもよい。すなわち、基板の係合部と係合するアンテナ１１の段差形状部の凹部を、アンテナ１１の長手方向の両端及び中央の３箇所の設けてもよい。そのことにより、基板１２に対するアンテナ１１の保持強度をより高めることができる。
【符号の説明】
【００２７】
ＣＡ…切欠部
ＤＡ…凹部
ＥＡ…係合部
ＭＡ…当接部
ＳＡ…凸部
１１…アンテナ
１２…基板
【図１】
2010245893.tif 000003
【図２】
2010245893.tif 000004
【図３】
2010245893.tif 000005
【図４】
2010245893.tif 000006